(57)【要約】【課題】電源キーに対する誤操作を防止することが可能な電子機器を提供する。【解決手段】電子機器の一例としての電子辞書１は、表示部としてのタッチスクリーン１１と、電源キー２１ａと、タッチスクリーン１１を有する筐体１０と、電源キー２１ａを有する筐体２０とを備える。筐体１０は、タッチスクリーン１１が設けられた主面１０ａと、主面１０ａとは反対側の第１の裏面とを有する。筐体２０は、電源キー２１ａが設けられた主面２０ａと、主面２０ａとは反対側の第２の裏面とを有する。電子辞書１は、第１の裏面と第２の裏面とが重畳して向かい合っているタブレット状態の場合、電子辞書１の電源がオンのときには、電源キー２１ａに対するキー操作を無効とする。【選択図】図５
2018018124.tif 000002
【特許請求の範囲】
【請求項１】
電子機器であって、
表示部と、
電源キーと、
前記表示部を有する第１の筐体と、
前記電源キーを有する第２の筐体と、
制御部とを備え、
前記第１の筐体は、前記表示部が設けられた第１の主面と、前記第１の主面とは反対側の第１の裏面とを有し、
前記第２の筐体は、前記電源キーが設けられた第２の主面と、前記第２の主面とは反対側の第２の裏面とを有し、
前記制御部は、前記第１の裏面と前記第２の裏面とが重畳して向かい合っている第１の状態の場合、前記電子機器の電源がオンのときには、前記電源キーに対するキー操作を無効とする、電子機器。
【請求項２】
前記制御部は、前記電子機器が前記第１の状態の場合、前記電源がオフのときには、前記電源キーに対するキー操作を有効とする、請求項１に記載の電子機器。
【請求項３】
前記第１の筐体と前記第２の筐体とは、ヒンジを介して接続されており、
前記ヒンジによって、前記電子機器は、前記第１の主面と前記第２の主面とが重畳して向かい合っている第２の状態から前記第１の状態に遷移可能であり、
前記制御部は、前記第２の状態から前記第１の状態に遷移する途中の第３の状態のときには、前記電源がオンの場合と前記電源がオフの場合とにおいて前記電源キーに対するキー操作を有効とする、請求項１または２に記載の電子機器。
【請求項４】
前記制御部は、前記電子機器が前記第１の状態の場合であって、かつ前記電子機器の電源がオンの場合、前記電源キーがキー操作を受け付けときには、前記表示部に予め定められた表示を行わせる、請求項１から３のいずれか１項に記載の電子機器。
【請求項５】
前記制御部は、前記電子機器の電源がオンの場合、所定のパターンで前記電源キーが押下されたときには、前記電子機器が前記第１の状態であっても前記電源キーに対するキー操作を有効とする、請求項１から４のいずれか１項に記載の電子機器。
【請求項６】
前記制御部は、前記電子機器の電源がオンの場合、前記電源キーが所定の時間以上連続して押下されたときには、前記電子機器が前記第１の状態であっても前記電源キーに対するキー操作を有効とする、請求項１から４のいずれか１項に記載の電子機器。
【請求項７】
表示部が設けられた第１の主面を有する第１の筐体と、電源キーが設けられた第２の主面を有する第２の筐体とを備えた電子機器における電源制御方法であって、
前記第１の主面とは反対側の第１の裏面と前記第２の主面とは反対側の第２の裏面とが重畳して向かい合っている特定の状態の場合、前記電子機器の電源がオフのときには、前記電源キーに対するキー操作を有効とするステップと、
前記電子機器が前記特定の状態の場合、前記電源がオンのときには、前記電源キーに対するキー操作を無効とするステップとを備える、電源制御方法。
【発明の詳細な説明】
【技術分野】
【０００１】
本発明は、電子機器および電子機器の電源制御方法に関する。
【背景技術】
【０００２】
従来、電子辞書およびノート型のパーソナルコンピュータ等の各種の電子機器が知られている。
【０００３】
たとえば、特開２０１５−１１９４７０号公報（特許文献１）には、蓋側筐体と底側筐体とがヒンジを介して接続された電子機器が開示されている。この電子機器においては、蓋側筐体の主面にタッチパネルが設けられ、かつ底側筐体の主面に電源キーが設けられている。
【０００４】
また、特許文献１の電子機器は、蓋側筐体が有する磁石のＳ極からＮ極を通る磁石軸が、底側筐体と対向する蓋側筐体の面に垂直な方向に対して傾いている。底側筐体が有する磁気センサが、閉状態およびタブレット状態において磁石により生じる磁界を互いに区別して検出する。これにより、この電子機器は、筐体を閉じた状態と、筐体を背面側に折り畳んだ状態とを区別できる。
【０００５】
特開２００４−３１０６５８号公報（特許文献２）には、上記の電子機器として、タッチパネルのように表示部に入力手段を有する入出力装置を備えた情報機器が開示されている。この情報機器は、表示部をユーザが回動して入力手段を表に出して畳み込むことができる。情報機器は、このような操作過程において、入力手段に手が触れても、入力手段への入力を無効とする。これにより、情報機器は、誤入力を防いでいる。
【先行技術文献】
【特許文献】
【０００６】
【特許文献１】特開２０１５−１１９４７０号公報
【特許文献２】特開２００４−３１０６５８号公報
【発明の概要】
【発明が解決しようとする課題】
【０００７】
特許文献１の電子機器は、タブレット状態としても使用できるため、ユーザの利便性に優れている。しかしながら、この電子機器をユーザがタブレット状態で使用しているときに、ユーザの指が電源キーに触れる場合もある。このような場合、ユーザの意図に反して、電子機器の電源がオフになってしまう場合も生じ得る。したがって、このような誤操作を防ぐことができれば、タブレット状態を取り得る電子機器の利便性はさらに向上する。
【０００８】
本願発明は、上記の問題点に鑑みなされたものであって、その目的は、電源キーに対する誤操作を防止することが可能な電子機器および当該電子機器における電源制御方法を提供することにある。
【課題を解決するための手段】
【０００９】
本発明のある局面に従うと、電子機器は、表示部と、電源キーと、表示部を有する第１の筐体と、電源キーを有する第２の筐体と、制御部とを備える。第１の筐体は、表示部が設けられた第１の主面と、第１の主面とは反対側の第１の裏面とを有する。第２の筐体は、電源キーが設けられた第２の主面と、第２の主面とは反対側の第２の裏面とを有する。制御部は、第１の裏面と第２の裏面とが重畳して向かい合っている第１の状態の場合、電子機器の電源がオンのときには、電源キーに対するキー操作を無効とする。
【発明の効果】
【００１０】
上記の発明によれば、電源キーに対する誤操作を防止することが可能となる。
【図面の簡単な説明】
【００１１】
【図１】電子辞書の斜視図である。
【図２】電子辞書の取り得る３つの状態を説明するための図である。
【図３】電子辞書のＹＺ断面における断面図である。
【図４】図３に示した配置における磁気センサの状態と、電子辞書の状態との対応関係を表した図である。
【図５】タブレット状態にある電子辞書をユーザが使用している状態を表した図である。
【図６】電子辞書の機能的構成の一例を示す機能ブロック図である。
【図７】電子辞書の状態と電源キーに対するキー操作の有効性との対応関係を、電源がオンの場合とオフの場合とに分けて表した図である。
【図８】電子辞書における処理の流れを説明するためのフロー図である。
【図９】電子辞書の外観を表した図である。
【図１０】電子辞書における処理の流れを説明するためのフロー図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
また、以下においては、電子機器の一例として、電子辞書について説明する。しかしならが、これに限定されず、電子機器は、ノート型パーソナルコンピュータ、タブレットＰＣ（Personal Computer）、電子ノート、携帯ゲーム機、スマートフォン、携帯電話機等であってもよい。なお、電子ノートとは、タッチパネルを搭載し、スタイラスペン等を用いて入力された手書き文字等を保存するものである。
［実施の形態１］
＜電子辞書の構成＞
図１は、電子辞書１の斜視図である。図１を参照して、電子辞書１は、蓋側の筐体１０（第１の筐体）と、底側の筐体２０（第２の筐体）と、ヒンジ３０とを備えている。筐体１０と筐体２０とはヒンジ３０を介して回動可能に接続されている。また、筐体２０は、操作部としてのキーボード２１を備えている。筐体１０は、タッチスクリーン１１を備えている。
【００１４】
タッチスクリーン１１は、画像データを表示するディスプレイ（表示部）と、タッチ入力を受け付けるタッチパネル（入力部）とが一体に形成されている。タッチスクリーン１１は、後述するタブレット状態においてタッチ入力を受け付け可能である。なお、タッチスクリーン１１の代わりに、ディスプレイを有する構成であってもよい。タッチスクリーン１１は、筐体１０の主面１０ａに設けられている。
【００１５】
キーボード２１は、電子辞書１に対するユーザの入力操作を受け付ける入力装置である。キーボード２１は、筐体２０の主面２０ａに設けられている。なお、本実施形態では、キーボード２１は物理キーであるとしたが、キーボード２１の種類は特に限定されず、例えばタッチパネル上のソフトウェアキーボードなど、平面状の入力装置であっても構わない。
【００１６】
キーボード２１はさらに、電源キー２１ａを含む。電源キー２１ａは、電子辞書１の起動および停止（ＯＮおよびＯＦＦ）を切替えるボタンまたはスイッチである。なお、本実施形態では、電源キー２１ａはキーボード２１の一部であるとしたが、電源キー２１ａは、主面１０ａに存在する限りにおいて、キーボード２１とは独立して設けられていてもよい。
【００１７】
ヒンジ３０は、筐体１０を筐体２０に対して（またはその逆）略３６０度回動可能な接続部である。ヒンジ３０の種類は特に限定しないが、例えば、いわゆる２軸ヒンジ、または３６０度ヒンジ等を用いることができる。電子辞書１において、ヒンジ３０の回動方向に沿った力が筐体１０に対して加えられると、ヒンジ３０が回動する。ヒンジ３０はさらに、任意の角度に回動した状態で固定可能である。したがって、電子辞書１のユーザは、筐体１０（筐体１０と接続したヒンジ３０）を回動させることにより、筐体１０と筐体２０とを所望の角度に調節することができる。具体的な回動状態については、後述する（図２）。
【００１８】
以下、筐体１０においてタッチスクリーンが露出している主面１０ａとは反対側の面を「裏面１０ｂ」と称する（図３参照）。また、筐体２０においてキーボード２１が露出している主面２０ａと反対側の面を「裏面２０ｂ」と称する。また、筐体２０の底面から操作面に向かう方向をＺ軸の正方向とする。
【００１９】
また、Ｚ軸と直交する平面をＸＹ平面とする。本実施形態では、筐体２０において、Ｚ軸の正方向側にキーボード２１が備えられている。また、筐体１０において、筐体２０のキーボード２１が備えられた面とヒンジ３０を介し連結している面に、タッチスクリーン１１が備えられている。また、ヒンジ３０の回転軸はＸ軸方向に平行である。
【００２０】
＜電子辞書の状態＞
図２は、電子辞書１の取り得る３つの状態（閉状態、開状態、およびタブレット状態）を説明するための図である。図２を参照して、電子辞書１は、閉状態（第２の状態）、開状態（第３の状態）、およびタブレット状態（第１の状態）の３つの状態（形態）をとることが可能である。状態（ａ）は、閉状態の電子辞書１を示している。状態（ｂ）は、開状態の電子辞書１を示している。状態（ｃ）は、タブレット状態の電子辞書１を示している。なお、ユーザは、状態（ａ）の電子辞書１をタブレット状態で使用したい場合、状態（ｂ）を経て状態（ｃ）に電子辞書１を遷移させる。
【００２１】
閉状態とは、状態（ａ）に示すように、筐体１０が筐体２０のＺ軸の正方向側に、かつ、筐体２０と互いに重畳して折り畳まれた状態である。つまり、閉状態とは、筐体１０および筐体２０が略平行で、かつ、筐体１０の表示面と筐体２０の操作面とが対向する状態である。
【００２２】
閉状態では、筐体１０の表示面は筐体２０の操作面に対向して重なるように折り畳まれる。したがって、閉状態において、タッチスクリーン１１およびキーボード２１は筐体１０および筐体２０によって覆われている。すなわち、閉状態では、タッチスクリーン１１およびキーボード２１を使用することができない。
【００２３】
開状態とは、状態（ｂ）に示すように、筐体１０と筐体２０とが重なって（折り畳まれて）いない状態である。つまり、開状態とは、筐体１０および筐体２０が、閉状態からタブレット状態へ遷移する途中、または、タブレット状態から閉状態へ遷移する途中の状態である。換言すると、開状態とは、閉状態でもなく、タブレット状態でもない状態である。開状態では、筐体１０と筐体２０とは、平行ではない任意の角度を成しているか、もしくは同一平面上にある。開状態は、「キーボードスタイル」とも称される。
【００２４】
タブレット状態とは、状態（ａ）に示すように、筐体１０が筐体２０のＺ軸の負方向側に、かつ、筐体２０と互いに重畳して折り畳まれた状態である。つまり、タブレット状態とは、筐体１０および筐体２０が略平行で、かつ、筐体１０の表示面と反対の面と、筐体２０の操作面と反対の面とが対向する状態である。タブレット状態では、筐体１０の蓋側面は、筐体２０の底面に対向して重なるように折り畳まれる。タブレット状態は、「タブレットスタイル」とも称される。
【００２５】
さらに、閉状態およびタブレット状態について換言すると、以下のとおりである。閉状態とは、筐体１０の主面１０ａと筐体２０の主面２０ａとが重畳する状態である。タブレット状態とは、筐体１０の裏面１０ｂ（主面１０ａの反対側の面）と、筐体２０の裏面２０ｂ（主面２０ａの反対側の面）とが重畳する状態である。
【００２６】
タブレット状態では、タッチスクリーン１１が電子辞書１の表面（Ｚ軸において負方向の面）に露出している一方、キーボード２１も電子辞書１の表面（Ｚ軸において正方向の面）に露出している。本実施形態では、タブレット状態では、キーボード２１がタッチスクリーン１１の反対面に位置するため、タッチスクリーン１１により入力が行われる。
【００２７】
以上のように、電子辞書１の外部構造は、閉状態、開状態、およびタブレット状態の３つの状態をとることが可能な構造であればよい。さらには、電子辞書１は、上記３つの状態に応じて、表示処理および入力処理など、自機の各種制御を調節可能である。本実施の形態では、詳細については後述するが、電源キー２１ａに対するキー操作に着目した説明を行なう。
【００２８】
なお、以下の説明では、電子辞書１は筐体１０を回動させることにより閉状態、開状態、およびタブレット状態をとることとする。しかしながら、電子辞書１は、筐体１０ではなく筐体２０がヒンジ３０の回転軸に沿って回動する構成であってもよい。
【００２９】
＜電子辞書の内部構造＞
図３は、電子辞書１のＹＺ断面における断面図である。図３を参照して、筐体１０には磁石１２が内蔵されている。また、筐体２０には、基板２２が内蔵されており、基板２２には磁気センサＡ（磁気検出部）および磁気センサＢ（磁気検出部）が設けられている。
【００３０】
基板２２は、磁気センサＡおよび磁気センサＢ、並びに、磁気センサＡおよびＢから出力された信号を処理するＩＣ等が搭載されたものである。
【００３１】
磁石１２は、磁界を生じさせるものである。磁石１２は、筐体１０の垂直面（Ｚ軸）に対し、磁石のＳ極からＮ極を通る磁石軸１２ａが傾けられて取付けられる。具体的には、磁石１２は、筐体１０の主面１０ａおよび筐体２０の主面１０ａに垂直な方向（Ｚ軸方向）に対し磁石軸がθ１の角度で傾けて取り付けられている。
【００３２】
磁気センサＡおよび磁気センサＢは、所定の方向成分の磁界を検出可能なセンサである。磁気センサＡおよび磁気センサＢとしては、例えばホールセンサまたはＭＲ（Magneto-Resistive）センサ等を利用することができる。
【００３３】
本実施形態では、磁気センサＡとしてホールセンサのＳセンサを、磁気センサＢとしてホールセンサのＮセンサを用いることとする。また、磁気センサＡを基板２２の表側（筐体２０の主面２０ａ側）に、当該センサの底側が基板２２に接するように取付け、磁気センサＢを基板２２の裏側（筐体２０の裏面２０ｂ側）に、これらのセンサの底側が基板２２に接するように取付けることとする。すなわち、磁気センサＡおよび磁気センサＢは、共にＺ軸の正方向の磁界成分を検出するものである。
【００３４】
磁気センサＡおよび磁気センサＢは、所定の閾値以上の磁界を検出した場合に、磁界を検出したことを示すＯＮ信号を、後述する電子辞書１の制御部１００へと送信する。以下では、磁気センサＡまたは磁気センサＢが上記所定の閾値以上の磁界を検出してＯＮ信号を出力することを、「磁気センサＡ（またはＢ）が反応する」とも称する。一方、磁気センサＡまたは磁気センサＢが上記所定の閾値以上の磁界を検出せず、信号を出力しないことを、「磁気センサＡ（またはＢ）が反応しない」とも称する。
【００３５】
＜データ＞
図４は、図３に示した配置における磁気センサＡおよび磁気センサＢの状態と、電子辞書１の状態との対応関係を表した図である。図４を参照して、データ４００においては、「電子辞書の状態」の列は電子辞書１の状態を示し、「センサＡ」および「センサＢ」の列はそれぞれ、磁気センサＡおよび磁気センサＢの状態を示している。「ＯＮ」は、磁気センサＡまたは磁気センサＢが反応することを示している。「ＯＦＦ」は磁気センサＡまたは磁気センサＢが反応しないことを示している。
【００３６】
電子辞書１が閉状態の場合、磁気センサＡは反応するが、磁気センサＢは反応しない。一方、電子辞書１が開状態の場合、磁気センサＡも磁気センサＢも反応しない。他方、電子辞書１がタブレット状態の場合、磁気センサＢは反応するが、磁気センサＡは反応しない。
【００３７】
電子辞書１の後述する制御部１００は、図４に示したデータ４００を記憶している。制御部１００は、データ４００と、電子辞書１の使用時の磁気センサＡおよび磁気センサＢの出力とに基づいて、電子辞書１の状態が、上述した３つの状態のいずれであるかを判断する。
【００３８】
図５は、タブレット状態にある電子辞書１をユーザが使用している状態を表した図である。図５（Ａ）は、ユーザの視点から電子辞書１を見た図である。図５（Ｂ）は、ユーザの視点とは反対側から電子辞書を見た図である。
【００３９】
図５（Ａ）に示すように、ユーザは、電子辞書１を左手９０１で把持するとともに、右手９０２で把持したスタイラスペン８００によってタッチスクリーン１１に対して入力を行なう。このとき、図５（Ｂ）に示すように、ユーザの左手９０１の指が電源キー２１ａに触れる場合が起こり得る。
【００４０】
このような場合、何らの制御も行わないとすると、ユーザの意図に反して、電子辞書１の電源がオフになってしまう。そこで、電子辞書１では、電子辞書１がタブレット状態のときに電源キー２１ａに対してキー操作があったとしても、当該キー操作を無効とする制御を行なう。これにより、ユーザの意図に反して、電子辞書１の電源がオフになることを防止する。以下、詳しく説明する。
【００４１】
＜機能的構成＞
図６は、電子辞書１の機能的構成の一例を示す機能ブロック図である。図６を参照して、電子辞書１は、上述した磁気センサＡ、磁気センサＢ、キーボード２１、およびタッチスクリーン１１に加え、制御部１００およびバッテリ１５を備えている。
【００４２】
バッテリ１５は、各部へ電力を供給する。バッテリ１５は、典型的には二次電池であり、充電が可能である。
【００４３】
制御部１００は、電子辞書１を統括的に制御するものである。制御部１００は、機能ブロックとして、センサ情報取得部１１０と、状態判定部１２０と、機能制御部１３０とを備えている。
【００４４】
センサ情報取得部１１０は、磁気センサＡおよび磁気センサＢから出力された信号を取得する。以下、磁気センサＡから出力されたＯＮ信号を信号αとし、磁気センサＢから出力されたＯＮ信号を信号βとする。センサ情報取得部１１０は、磁気センサＡおよび磁気センサＢから取得した信号αおよびβを状態判定部１２０に出力する。
【００４５】
状態判定部１２０は、磁気センサＡおよび磁気センサＢから出力された信号に基づいて、電子辞書１が、閉状態、開状態、およびタブレット状態のいずれの状態であるかを判定する。具体的には、状態判定部１２０は、センサ情報取得部１１０から信号αのみを受信すると、電子辞書１が閉状態であると判定する。また、状態判定部１２０は、信号βのみを受信している場合は、電子辞書１がタブレット状態であると判定する。また、状態判定部１２０は、信号αも信号βも受信していない場合は、電子辞書１が開状態であると判定する。そして、状態判定部１２０は、判定結果を機能制御部１３０へと出力する。
【００４６】
なお、電子辞書１では、図４のデータ４００において示したように、磁気センサＡおよび磁気センサＢの両方が反応する場合は生じない。つまり、状態判定部１２０が信号αおよび信号βの両方を受信する場合は生じない。そのため、状態判定部１２０は、何れの信号を受信したかによって、閉状態、開状態、およびタブレット状態のいずれの状態であるかを判定することができる。
【００４７】
機能制御部１３０は、状態判定部１２０の判定結果に応じて、電子辞書１を構成する各種部材の制御を行うものである。以下、電源キー２１ａに対するキー操作に関連する処理に着目して説明する。
【００４８】
機能制御部１３０は、状態判定部１２０から通知された電子辞書１の状態がタブレット状態でない場合、電源キー２１ａに対するキー操作を有効にする。正確には、機能制御部１３０は、電子辞書１の状態が開状態である場合には、電源がオンおよびオフのいずれの状態であっても、電源キー２１ａに対するキー操作を有効にする。
【００４９】
機能制御部１３０は、電子辞書１の状態がタブレット状態の場合、現在の電源の状態（オンまたはオフ）に応じて異なる処理を実行する。機能制御部１３０は、電子辞書１の電源がオフの場合、電源キー２１ａに対するキー操作を有効にする。これにより、電子辞書１は、電源がオンになる。
【００５０】
機能制御部１３０は、電子辞書１の電源がオンの場合、電源キー２１ａに対するキー操作を無効にする。すなわち、電子辞書１は、当該キー操作があっても、電源をオフすることなく、電源オン状態を維持する。
【００５１】
このような制御により、電子辞書１では、電子辞書１がタブレット状態のときに電源キー２１ａに対してキー操作があったとしても、当該キー操作を無効とする制御を行なう。これにより、ユーザが電子辞書１をタブレット状態で使用中に、ユーザの意図に反して、電子辞書１の電源がオフになってしまうことを防止することが可能となる。
【００５２】
＜キー操作の有効性のまとめ＞
図７は、電子辞書１の状態と電源キー２１ａに対するキー操作の有効性との対応関係を、電源がオンの場合とオフの場合とに分けて表した図である。図７を参照して、表７００に示すように、制御部１００は、電子辞書１が開状態のときには、電子辞書１の電源のオンおよびオフに関わらず、電源キー２１ａに対するキー操作を有効とする。
【００５３】
一方、制御部１００は、電子辞書１がタブレット状態のときには、電子辞書１の電源がオンの場合には電源キー２１ａに対するキー操作を無効とし、電源がオフの場合には電源キー２１ａに対するキー操作を有効とする。
【００５４】
このように、制御部１００は、電子辞書１がタブレット状態であって、かつ電子辞書１の電源がオンの場合に、電源キー２１ａに対するキー操作を無効とすることによって、ユーザの意図に反して電子辞書１の電源がオフになってしまうことを防止する。
【００５５】
＜制御構造＞
図８は、電子辞書１における処理の流れを説明するためのフロー図である。図８を参照して、ステップＳ２で電源キー２１ａが押下されると、制御部１００は、電子辞書１の電源がオフの場合（ステップＳ４においてＮＯ）、ステップＳ６において、電源キー２１ａに対するキー操作を有効にして、電源をオンにする。一方、制御部１００は、電子辞書１の電源がオンの場合（ステップＳ４においてＹＥＳ）、ステップＳ８において、電子辞書１の状態がタブレット状態であるか否かを判定する。なお、電子辞書１の状態が閉状態である場合には、電源キー２１ａを押下することはできないため、ステップＳ８では、実際には、電子辞書１の状態がタブレット状態および開状態のいずれかであるかを判断する。
【００５６】
制御部１００は、電子辞書１の状態がタブレット状態でないと判定した場合（ステップＳ８においてＮＯ）、ステップＳ１０において、電源キー２１ａに対するキー操作を有効にして、電源をオフにする、制御部１００は、電子辞書１の状態がタブレット状態であると判定した場合（ステップＳ８においてＹＥＳ）、ステップＳ１２において、電源キー２１ａに対するキー操作を無効にして、電源オン状態を維持する。
【００５７】
＜小括＞
電子辞書１は、タッチスクリーン１１と、電源キー２１ａと、タッチスクリーン１１を有する筐体１０と、電源キー２１ａを有する筐体２０と、制御部１００とを備えている。筐体１０は、タッチスクリーン１１が設けられた主面１０ａと、主面１０ａとは反対側の裏面１０ｂとを有する。筐体２０は、電源キー２１ａが設けられた主面２０ａと、主面２０ａとは反対側の裏面２０ｂとを有する。制御部１００は、裏面１０ｂと裏面２０ｂとが重畳して向かい合っているタブレット状態の場合、電子辞書１の電源がオンのときには、電源キー２１ａに対するキー操作を無効とする。
【００５８】
また、制御部１００は、電子辞書１がタブレット状態の場合、電源がオフのときには、電源キー２１ａに対するキー操作を有効とする。
【００５９】
詳しくは、筐体１０と筐体２０とは、ヒンジ３０を介して接続されている。ヒンジ３０によって、電子辞書１は、主面１０ａと主面２０ａとが重畳して向かい合っている閉状態からタブレット状態に遷移可能である。制御部１００は、閉状態からタブレット状態に遷移する途中の開状態のときには、電源がオンの場合と電源がオフの場合とにおいて電源キー２１ａに対するキー操作を有効とする。
【００６０】
以上の構成によって、電子辞書１は、電源キーに対する誤操作を防止することが可能となる。
［実施の形態２］
電子辞書１がタブレット状態の場合であって、かつ電子辞書１の電源がオンの場合、電源キー２１ａがキー操作を受け付けときには、タッチスクリーン１１に予め定められた表示を行わせるように、制御部１００を構成してもよい。
【００６１】
たとえば、「電源をオフしてもよいですか」といったメッセージを表示させてもよい。この場合、電源をオフすることを承諾するオブジェクトがタッチ操作等の入力によってなされた場合には、電源をオフするように、電子辞書１を構成することができる。
［実施の形態３］
実施の形態１または２に係る電子辞書１において、電子辞書１の電源がオンの場合、所定のパターンで電源キー２１ａが押下されたときには、電子辞書１がタブレット状態であっても電源キー２１ａに対するキー操作を有効とするように、制御部１００を構成してもよい。なお、上記の所定のパターンとしては、複数回（典型的に２回）連続して電源キー２１ａを押下することが例として挙げられる。
【００６２】
このような構成によれば、電子辞書１の状態がタブレット状態の際に、ユーザが電源をオフしたいときには、タブレット状態のままで電源をオフすることができる。
【００６３】
また、実施の形態１または２の電子辞書１において、電子辞書１の電源がオンの場合、電源キー２１ａが所定の時間以上連続して押下されたときには、電子辞書１がタブレット状態であっても電源キー２１ａに対するキー操作を有効とするように、制御部１００を構成してもよい。
【００６４】
このような構成によっても、電子辞書１の状態がタブレット状態の際に、ユーザが電源をオフしたいときには、タブレット状態のままで電源をオフすることができる。
［実施の形態４］
図９は、本実施の形態に係る電子辞書１Ａの外観を表した図である。図９（Ａ）は、電子辞書１Ａが開状態にあるときの電子辞書１Ａの斜視図である。図９（Ｂ）は、電子辞書１Ａが閉状態にあるときの電子辞書１Ａの斜視図である。
【００６５】
図９（Ａ）を参照して、電子辞書１Ａは、蓋側の筐体１０と、底側の筐体２０’と、ヒンジ３０とを備えている。筐体１０と筐体２０’とはヒンジ３０を介して回動可能に接続されている。電子辞書１Ａは、電子辞書１と同様に、閉状態、開状態、およびタブレット状態を取ることができる。電子辞書１Ａは、筐体２０’を備える点において、筐体２０を備える実施の形態１の電子辞書１とは異なる。
【００６６】
筐体２０’は、主面２０ａにおいて、操作部としてのキーボード２１’を備えている。筐体２０’は、側面２０ｃに電源キー２９を有している。このように、電子辞書１Ａは、筐体２０の側面２０ｃに電源キー２９を有する点において、筐体２０の主面２０ａに電源キー２１ａを有する電子辞書１とは異なる。
【００６７】
図９（Ｂ）を参照して、電子辞書１Ａでは、筐体２０の側面２０ｃに電源キー２９が配置されているため、電子辞書１Ａが閉状態であっても、電源キー２９は露出された状態となる。
【００６８】
このような構成を有する電子辞書１Ａでは、ユーザが電子辞書１Ａを鞄等に入れて持ち運んでいるとき等に、ユーザの意図に反して電源キーが押下され、電源がオン状態になってしまうことがある。そこで、本実施の形態では、電子辞書１Ａでは、電子辞書１Ａが閉状態であって、電源がオフの場合には、電源キー２９に対するキー操作を無効にする。これにより、ユーザの意図に反して電源キーが押下され、電源がオン状態になってしまうことを防止する。
【００６９】
なお、電子辞書１Ａは、図６に示した機能的構成を有する。電子辞書１Ａは、機能制御部１３０の処理内容が電子辞書１とは異なる。
【００７０】
図１０は、電子辞書１Ａにおける処理の流れを説明するためのフロー図である。図１０を参照して、ステップＳ１０２で電源キー２１ａが押下されると、制御部１００は、電子辞書１の電源がオンの場合（ステップＳ１０４においてＮＯ）、ステップＳ１０６において、電源キー２１ａに対するキー操作を有効にして、電源をオフにする。一方、制御部１００は、電子辞書１の電源がオフの場合（ステップＳ１０４においてＹＥＳ）、ステップＳ１０８において、電子辞書１の状態が閉状態であるか否かを判定する。
【００７１】
制御部１００は、電子辞書１の状態が閉状態でないと判定した場合（ステップＳ１０８においてＮＯ）、ステップＳ１０において、電源キー２１ａに対するキー操作を有効にして、電源をオンにする、制御部１００は、電子辞書１の状態が閉状態であると判定した場合（ステップＳ１０８においてＹＥＳ）、ステップＳ１２において、電源キー２１ａに対するキー操作を無効にして、電源オフ状態を維持する。
【００７２】
以上のように、電子辞書１Ａは、タッチスクリーン１１と、電源キー２９と、タッチスクリーン１１を有する筐体１０と、電源キー２９を有する筐体２０’と、制御部１００とを備える。筐体１０は、タッチスクリーン１１が設けられた主面１０ａと、主面１０ａとは反対側の裏面１０ｂとを有する。筐体２０’は、電源キー２９が設けられた側面２０ｃと、操作部としてのキーボードを有する主面２０ａと、主面２０ａとは反対側の裏面２０ｂとを有する。
【００７３】
制御部１００は、主面１０ａと主面２０ａとが重畳して向かい合っている閉状態の場合、電子辞書１の電源がオフのときには、電源キー２９に対するキー操作を無効とする。また、制御部１００は、電子辞書１が閉状態の場合、電源がオンのときには、電源キー２９に対するキー操作を有効とする。
［実施の形態５］
実施の形態４に係る電子辞書１Ａにおいて、電子辞書１Ａの電源がオフの場合、所定のパターンで電源キー２９が押下されたときには、電子辞書１Ａが閉状態であっても電源キー２９に対するキー操作を有効とするように、制御部１００を構成してもよい。なお、上記の所定のパターンとしては、複数回（典型的に２回）連続して電源キー２９を押下することが例として挙げられる。
【００７４】
このような構成によれば、電子辞書１Ａの状態が閉状態の際に、ユーザが電源をオンしたいときには、閉状態のままで電源をオンすることができる。
【００７５】
また、実施の形態４に係る電子辞書１Ａにおいて、電子辞書１Ａの電源がオフの場合、電源キー２９が所定の時間以上連続して押下されたときには、電子辞書１Ａが閉状態であっても電源キー２９に対するキー操作を有効とするように、制御部１００を構成してもよい。
【００７６】
このような構成によっても、電子辞書１Ａの状態が閉状態の際に、ユーザが電源をオンしたいときには、閉状態のままで電源をオンすることができる。
［実施の形態６］
実施の形態１〜３に係る電子辞書１および実施の形態４，５に係る電子辞書１Ａでは、一方の筐体１０と他方の筐体２０，２０Ａとがヒンジ３０で接続された構成を例に挙げて説明したが、これに限定されるものではない。
【００７７】
電子辞書は、ヒンジを備えていなくてもよい。電子辞書においては、一方の筐体１０と他方の筐体２０，２０Ａとが、別個に独立した形態であってもよい。すなわち、電子辞書は、筐体２０，２０Ａに対して筐体１０を接続し、かつ筐体２０，２０Ａと筐体１０とが通信する、分離型の構成であってもよい。
【００７８】
なお、筐体２０，２０Ａと筐体１０との接続は、たとえば、マグネットとすることができる。この場合、筐体２０，２０Ａと筐体１０との通信は近距離無線通信を用いればよい。
【００７９】
また、電子辞書は、筐体２０，２０Ａに設けられたコネクタと筐体１０に設けられたコネクタとを接続することによって、筐体２０，２０Ａと筐体１０とを接続する構成であってもよい。なお、この場合には、筐体２０，２０Ａと筐体１０との通信は近距離無線通信を用いる必要がない。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１，１Ａ  電子辞書、１０，２０，２０Ａ  筐体、１０ａ，２０ａ  主面、１０ｂ，２０ｂ  裏面、１１  タッチスクリーン、１２  磁石、１２ａ  磁石軸、１５  バッテリ、２０ｃ  側面、２１  キーボード、２１ａ，２９  電源キー、２２  基板、３０  ヒンジ、１００  制御部、１１０  センサ情報取得部、１２０  状態判定部、１３０  機能制御部、４００  データ、８００  スタイラスペン、９０１  左手、９０２  右手、Ａ，Ｂ  磁気センサ。
【図１】
2018018124.tif 000003
【図２】
2018018124.tif 000004
【図３】
2018018124.tif 000005
【図４】
2018018124.tif 000006
【図５】
2018018124.tif 000007
【図６】
2018018124.tif 000008
【図７】
2018018124.tif 000009
【図８】
2018018124.tif 000010
【図９】
2018018124.tif 000011
【図１０】
2018018124.tif 000012